(57)【要約】      （修正有）【課題】ミラーダウンバウンド抑制時間およびミラーアップバウンド抑制時間を短縮する。【解決手段】被写体光を観察光学系に導く第１の位置、及び撮像素子側に通過させる第２の位置との間で回動可能なメインミラー１００と、前記メインミラー１００と一体的に移動するサブミラー２００と、前記サブミラーを保持するための保持部材２００ａが回動するための回転軸２０１と、前記保持部材２００ａに対して第１の位置で当接するストッパー１５０１を有し、前記ストッパー１５０１は前記保持部材２００ａの回転軸２０１と前記メインミラー１００の回転軸との間に位置しており、前記保持部材２００ａの前記第１の位置における前記ストッパー１５０１との当接力が、前記保持部材２００ａの回転軸２０１を中心に第１の位置方向への付勢力となることを特徴とする。【選択図】図２
2016053663.tif 000002
【特許請求の範囲】
【請求項１】
撮像光路内に位置して被写体光を観察光学系（１５）に導く第１の位置、及び撮像光路外に位置して被写体光を撮像素子（１３）側に通過させる第２の位置との間で回動可能なメインミラー（１００）と、
前記メインミラー（１００）が第１の位置へ移動した時に一体的に撮像光路内（第１の位置）へ移動し、第２の位置へ移動した時に一体的に撮像光路外（第２の位置）へ移動し、第１の位置においてメインミラー（１００）を透過した被写体光の一部を焦点検出装置（１１）に導くサブミラー（２００）と、
前記サブミラーを保持するための保持部材（２００ａ）と、
メインミラーが第１の位置から第２の位置へ変位する時に前記保持部材（２００ａ）が回動するための回転軸（２０１）と、
前記保持部材（２００ａ）に対して第１の位置で当接するストッパー１（５０１）を有し、前記ストッパー１（５０１）は前記保持部材（２００ａ）の回転軸（２０１）と前記メインミラー（１００）の回転軸との間に位置しており、
前記保持部材（２００ａ）の前記第１の位置における前記ストッパー１（５０１）との当接力が、
前記保持部材（２００ａ）の回転軸（２０１）を中心に第１の位置方向への付勢力となることを特徴とする撮像装置。
【請求項２】
撮像光路内に位置して被写体光を観察光学系（１５）に導く第１の位置、及び撮像光路外に位置して被写体光を撮像素子（１３）側に通過させる第２の位置との間で回動可能なメインミラー（１００）と、
前記メインミラー（１００）が第１の位置へ移動した時に一体的に撮像光路外（第１の位置）へ移動し、第２の位置へ移動した時に一体的に撮像光路外（第２の位置）へ移動し、第２の位置においてメインミラー（１００）を透過した被写体光の一部を焦点検出装置（１１）に導くサブミラー（２００）と、
前記サブミラーを保持するための保持部材（２００ａ）と、
メインミラーが第１の位置から第２の位置へ変位する時に前記保持部材（２００ａ）が回動するための回転軸（２０１）と、
前記保持部材（２００ａ）に対して第２の位置で当接するストッパー２（５００）を有し、前記ストッパー２（５００）は前記保持部材（２００ａ）の回転軸（２０１）と前記メインミラー（１００）の回転軸との間に位置しており、
前記保持部材（２００ａ）の前記第２の位置における前記ストッパー２（５００）との当接力が、
前記保持部材（２００ａ）の回転軸（２０１）を中心に第２の位置方向への付勢力となることを特徴とする撮像装置。
【請求項３】
前記保持部材（２００ａ）が前記第１の位置、または前記第２の位置に移動した時にだけ当接することを特徴とする請求項１又は請求項２に記載の撮像装置。
【請求項４】
前記ストッパー１（５０１）、または前記ストッパー２（５００）において、前記保持部材（２００ａ）の当接部と当接する部分は、少なくとも衝撃吸収機能を有している弾性体であることを特徴とする請求項１乃至請求項３の何れか一項に記載の撮像装置。
【発明の詳細な説明】
【技術分野】
【０００１】
本発明は、一眼レフカメラ等の撮像装置に関し、特に回動可能なミラーのバウンドを抑制する機構を備えた撮像装置に関する。
【背景技術】
【０００２】
従来、一眼レフカメラ等のクイックリターンミラー機構では、メインミラー及びサブミラーを撮像光学系からの光路（撮像光路）の内外に高速で回動させている。撮像光路内では、各ミラーは、ミラーボックスに設けられたミラーダウンストッパーに当接することで撮像光路内（第１の位置）に止めるようにして、ファインダー光学系や焦点検出センサユニットに光を導く。また、撮像光路外（第２の位置）でも、各ミラーは、ミラーボックス内に設けられたミラーアップストッパーに当接することで撮像光学系からの光路の外に退避している。
【０００３】
上記クイックリターンミラー機構においては、ミラーを撮像光路外（第２の位置）から撮像光路内（第１の位置）に高速回動させたとき（以下、ミラーダウン動作）に上記ミラーダウンストッパーに対する衝突によりミラーのダウンバウンド現象が発生する。上記ミラーのダウンバウンド現象を停止させる時間（以下、ミラーダウンバウンド抑制時間）を短縮し、焦点検出動作を早期に開始することが連写撮影において単位時間あたりの撮影枚数を多くするためには必要である。
【０００４】
また、上記クイックリターンミラー機構において、ミラーを撮像光路内（第１の位置）から撮像光路外（第２の位置）に高速回動させたとき（以下、ミラーアップ動作）に上記ミラーアップストッパーに対する衝突によりミラーのアップバウンド現象が発生する。上記ミラーのアップバウンド現象を停止させる時間（以下、ミラーアップバウンド抑制時間）を短縮し、ユーザからの撮影信号に対し、ミラーを早期に光路外に退避させ、シャッター走行、撮像素子の蓄積などの撮像動作を開始することが、レリーズタイムラグ（ユーザがシャッター釦を押してから撮像が開始されるまでの時間）を短縮するためには必要である。
【０００５】
特許文献１では、ミラーが撮像光路外（第２の位置）に到達する直前において、メインミラーと接触する緩衝部材を有し、該緩衝部材をメインミラー回転軸の近傍に備えることを特徴としている。
【先行技術文献】
【特許文献】
【０００６】
【特許文献１】特開平０５−０４５７２３号公報
【発明の概要】
【発明が解決しようとする課題】
【０００７】
しかしながら、上述の特許文献１に開示された従来技術では、ミラーアップバウンド抑制時間を短縮することは可能であるが、ミラーアップバウンドの抑制手段がミラーアップの負荷となっているため、該抑制手段にてバウンドを抑制することは望ましくない。また、特許文献１に開示された従来技術では、ミラーダウンバウンド抑制時間を短縮することは不可能である。そこで、本発明の目的は、ミラー駆動中に負荷となることなく、ミラーダウンバウンド抑制時間およびミラーアップバウンド抑制時間を短縮した撮像装置を提供することである。
【課題を解決するための手段】
【０００８】
上記目的を達成するために、本発明の撮像装置は、
撮像光路内に位置して被写体光を観察光学系（１５）に導く第１の位置、及び撮像光路外に位置して被写体光を撮像素子（１３）側に通過させる第２の位置との間で回動可能なメインミラー（１００）と、
前記メインミラー（１００）が第１の位置へ移動した時に一体的に撮像光路内（第１の位置）へ移動し、第２の位置へ移動した時に一体的に撮像光路外（第２の位置）へ移動し、第１の位置においてメインミラー（１００）を透過した被写体光の一部を焦点検出装置（１１）に導くサブミラー（２００）と、
前記サブミラーを保持するための保持部材（２００ａ）と、
メインミラーが第１の位置から第２の位置へ変位する時に前記保持部材（２００ａ）が回動するための回転軸（２０１）と、
前記保持部材（２００ａ）に対して第１の位置で当接するストッパー１（５０１）を有し、前記ストッパー１（５０１）は前記保持部材（２００ａ）の回転軸（２０１）と前記メインミラー（１００）の回転軸との間に位置しており、
前記保持部材（２００ａ）の前記第１の位置における前記ストッパー１（５０１）との当接力が、
前記保持部材（２００ａ）の回転軸（２０１）を中心に第１の位置方向への付勢力となることを特徴とする。
【０００９】
本発明の他の撮像装置は、
撮像光路内に位置して被写体光を観察光学系（１５）に導く第１の位置、及び撮像光路外に位置して被写体光を撮像素子（１３）側に通過させる第２の位置との間で回動可能なメインミラー（１００）と、
前記メインミラー（１００）が第１の位置へ移動した時に一体的に撮像光路外（第１の位置）へ移動し、第２の位置へ移動した時に一体的に撮像光路外（第２の位置）へ移動し、第２の位置においてメインミラー（１００）を透過した被写体光の一部を焦点検出装置（１１）に導くサブミラー（２００）と、
前記サブミラーを保持するための保持部材（２００ａ）と、
メインミラーが第１の位置から第２の位置へ変位する時に前記保持部材（２００ａ）が回動するための回転軸（２０１）と、
前記保持部材（２００ａ）に対して第２の位置で当接するストッパー２（５００）を有し、前記ストッパー２（５００）は前記保持部材（２００ａ）の回転軸（２０１）と前  記メインミラー（１００）の回転軸との間に位置しており、
前記保持部材（２００ａ）の前記第２の位置における前記ストッパー２（５００）との当接力が、
前記保持部材（２００ａ）の回転軸（２０１）を中心に第２の位置方向への付勢力となることを特徴とする。
【発明の効果】
【００１０】
本発明によれば、ミラー駆動中に負荷となることなく、ミラーダウンバウンド抑制時間およびミラーアップバウンド抑制時間を短縮した撮像装置を提供することができる。
【図面の簡単な説明】
【００１１】
【図１】本発明の実施例におけるカメラの全体構成を説明する概略図
【図２】本発明の実施例におけるミラー駆動装置を構成する要素の分解図
【図３】本発明の実施例におけるミラーボックス詳細構造を説明する図
【図４】本発明の実施例におけるサブミラーバウンド抑制機構を説明する簡略図
【図５】本発明の実施例におけるサブミラー保持部材とストッパーの当接を示す図
【図６】本発明の実施例におけるミラーのアップ動作を説明する簡略図
【図７】本発明の実施例におけるミラーのダウン動作を説明する簡略図
【発明を実施するための形態】
【００１２】
以下、本発明のカメラの実施の形態について図面を参照しながら説明する。本実施形態におけるカメラは、銀塩フィルムを用いた一眼レフスチルカメラ或いはＣＣＤやＭＯＳ型等の個体撮像素子を用いた一眼レフデジタルカメラに適用される。
【００１３】
図１は、本発明の実施形態における一眼レフデジタルカメラの内部の全体構成を示す図である。図１において、撮影レンズ１０はデジタルカメラ本体に着脱可能に構成されている。撮影レンズ１０によって、被写体像は結像面に結像する。撮影レンズ１０は、不図示のレンズ駆動装置、露出制御を行うための絞り羽根群、およびこの絞り羽根群を駆動する絞り駆動装置等から構成されている。
【００１４】
メインミラー１００は、ハーフミラーで構成され、ミラーダウン状態となるときに、撮影レンズ１０により結像される被写体像をフォーカシングスクリーンに向けて反射させる。このとき、メインミラー１００は、被写体像の一部をサブミラー２００に向けて透過させる。サブミラー２００はメインミラー１００を透過した被写体光の一部を焦点検出装置１１に向けて反射させる。メインミラー１００は、後述するミラー駆動機構によって駆動されることで、撮像光路内に位置して、被写体像をフォーカシングスクリーンに導くミラーダウン状態（第１の位置）と、撮像光路内から退避して、被写体像を撮像素子１３に導くミラーアップ状態（第２の位置）とに変位する。
【００１５】
サブミラー２００は、メインミラー１００が後述するミラー駆動機構によって駆動されることに連動して変位する。具体的には、メインミラー１００がミラーダウン状態となるときに、サブミラー２００は、メインミラー１００を透過した光束を焦点検出装置１１に導く（第１の位置）。一方、メインミラー１００がミラーアップ状態となるときに、サブミラー２００は、メインミラー１００とともに撮像光路内から退避する（第２の位置）。
【００１６】
ミラーボックス１４は、ミラー駆動機構やミラー角度調整板を固定するメインフレームとなる。ペンタプリズム１５は、フォーカシングスクリーンに結像した被写体像を正立正像に変換して反射する。接眼レンズ１６は、ペンタプリズム１５で正立正像に変換して反射された被写体像を撮影者の目に到達させる。測光装置１７は、フォーカシングスクリーンに結像した被写体像の輝度をペンタプリズム１５を介して測定し、算出した出力信号に基づき、シャッター装置１２と前述の絞り駆動装置を駆動して、露光時の露出制御を行う。
【００１７】
焦点検出装置１１は被写体像のデフォーカス量を検出する。焦点検出装置１１の出力信号に基づき、撮影レンズ１０のレンズ駆動装置が制御され、焦点調節が行われる。シャッター装置１２は、被写体光束の結像面への入射を機械的に制御する。撮像素子１３は、撮影レンズ１０により結像された被写体像を撮像して電気信号に変換する。この撮像素子１３には、ＣＣＤ型、ＣＭＯＳ型等の２次元型撮像デバイスが用いられている。
【００１８】
次に、本実施形態のデジタルカメラにおける撮影動作について説明する。撮影前、撮影レンズ１０から入射した被写体像は、メインミラー１００、ペンタプリズム１５、接眼レンズ１６を介して撮影者が確認できる状態となる。このとき、被写体像の一部はサブミラー２００を介して焦点検出装置１１に入射する。撮影者のスイッチ動作により、焦点検出装置にて検出されたデフォーカス量に応じて撮影レンズ１０のレンズ駆動が行われ、焦点を合わせることが可能となっている。また、測光装置１７にて被写体輝度を測定し、レンズ絞り値とシャッター露出時間が決定される。
【００１９】
撮影者のレリーズ動作により撮影が行われる際は、メインミラー１００およびサブミラー２００が撮影光路から上方へ退避し、シャッター１２の羽根が開口し、撮像素子へ被写体像が入射する。適正露出時間が経過したのちシャッター１２の羽根が画枠開口部を遮蔽し、メインミラー１００およびサブミラー２００が撮影光路内に復帰し、撮影動作が完了となる。
【００２０】
図２〜図７を用いて、本発明におけるサブミラーバウンド抑制機構の構成を説明する。図２は本実施例においてメインミラー１００がミラーダウン状態（第１の位置）にあるときのミラー駆動装置の主要な構成部品とその配置を示している。メインミラー１００を保持するメインミラー保持部材１００ａには、左右に回転中心となるヒンジ軸部１０１が形成され、メインミラー保持部材１００ａの一方にはメインミラーを回転駆動するためのメインミラー駆動軸部１０２が形成されている。メインミラー１００の回転中心軸１０１は、図中左側が調整板３００の穴部３００ａに嵌合することで位置決めされ、図中右側がミラー駆動機構４００のベース板４０１の穴部４０１ａ（図３（ｂ）記載）に嵌合されることで位置決めされている。
【００２１】
ベース板４００には当接部４０３が形成されており、第１の位置にてメインミラー保持部材１００ａの当接板１０３が当接部４０３に衝突することで、メインミラー１００は位置決めされる。ミラー角度調整板３００の位置を調整することでメインミラー１００の回転中心軸１０１の図中左側の位置を調整できるようになっている。ミラー駆動機構４００は、メインミラー駆動軸部１０２を押すことでメインミラー１００を回転駆動させる公知のミラー駆動機構である。
【００２２】
サブミラー２００は、メインミラー保持部材１００ａの図中右側に回転中心軸２０１、図中左側にビス２０２によってメインミラー保持部材１００ａに係止される穴部２０４ｃを形成しており、サブミラー当接板２０４の穴部２０４ｃを介して、サブミラー保持部材２００ａにより保持されている。回転中心軸２０１と穴部２０３は同軸上に形成されている。ミラーボックス１４の側面に配置されているミラー角度調整板３００には、サブミラー保持部材２００ａを回転駆動するためのサブミラー駆動軸部３０１が形成されている。
【００２３】
本実施例におけるミラー駆動装置では、ミラーユニットが第１の位置から第２の位置に移動するとき、または第２の位置から第１の位置に移動するとき、サブミラー駆動軸部３０１がサブミラー保持部材２００のカム部２０４ｄに沿うように移動する。これによりメインミラーの回動に従ってサブミラーも回動するため、サブミラーはメインミラーが第１の位置へ移動した時に一体的に撮像光路内（第１の位置）へ移動し、第２の位置へ移動した時に一体的に撮像光路外（第２の位置）へ移動する。
【００２４】
ミラー角度調整板３００には当接部３０２が形成されており、第１の位置にてサブミラー保持部材２００ａの当接板２０４ｅが当接部３０２に衝突することで、サブミラー２００は位置決めされる。さらに、サブミラー保持部材２００ａの側面には、サブミラーストッパー当接部２０４ａ、２０４ｂが形成されている。ミラー角度調整板３００には、サブミラーアップストッパー５００、サブミラーダウンストッパー５０１が形成されている。
【００２５】
図３は、ミラーボックス詳細構造を説明する図である。図３（ａ）はミラーボックスの正面斜視図、図３（ｂ）はミラーボックスの背面斜視図である。図２で示したミラー駆動機構４００がミラーボックスの側面に配置されている。本実施例では、カメラ背面側から見た場合に、光軸に対して左側にミラー駆動機構４００を配する。
【００２６】
次に、図４、図５を用いて、サブミラーアップ、ダウンのストッパーの構成を説明する。サブミラーアップストッパー５００、サブミラーダウンストッパー５０１は、図４に示すように本実施例では、サブミラーストッパーピン５００ａ、５０１ａおよびサブミラーストッパー緩衝材５００ｂ、５０１ｂで構成されている。サブミラーアップストッパー５００、サブミラーダウンストッパー５０１はサブミラー保持枠の右側（一方側）に配置されている。
【００２７】
サブミラーアップストッパー５００は図５（ａ）に示すように、ミラーアップ状態（第２の位置）にある時、サブミラー保持部材２００ａの側面に形成されるサブミラーストッパー当接部２０４ａに当接する位置に配置される。一方、サブミラーダウンストッパー５０１は図５（ｂ）に示すように、ミラーダウン状態（第１の位置）にある時、サブミラーストッパー当接部２０４ｂに当接する位置に配置される。また光軸方向の位置として、サブミラーアップストッパー５００、サブミラーダウンストッパー５０１は、メインミラー１００の回転中心軸１０１とサブミラーの回転中心軸２０１の間に配置されている。図５では、サブミラーの回転中心を２０１ａで示している。
【００２８】
ミラーアップ状態（第２の位置）におけるサブミラーアップストッパー５００からサブミラー保持部材２００ａに与えられる力は、図５（ａ）において力Ｆ１であらわされる。サブミラーの回転中心２０１ａに対して、サブミラーアップストッパー５００とサブミラーストッパー当接部２０４ａの当接地点は、主ミラー１００の回転中心軸１０１とサブミラーの回転中心２０１ａの間となっている。そのため、サブミラー回転中心２０１ａ周りの力Ｆ１によるモーメントＭ１は、図５（ａ）では反時計回りの方向へ働く。つまり、モーメントＭ１はサブミラー２００を閉じる方向へ働いているため、サブミラーアップバウンドを抑制する方向へ力を発生させることが出来る。
【００２９】
ミラーダウン状態（第１の位置）におけるサブミラーダウンストッパー５０１からサブミラー保持部材２００ａに与えられる力は、図５（ｂ）において力Ｆ２であらわされる。サブミラーの回転中心２０１ａに対して、サブミラーアップストッパー５００とサブミラーストッパー当接部２０４ｂの当接地点は、主ミラー１００の回転中心軸１０１とサブミラーの回転中心２０１ａの間となっている。そのため、サブミラー回転中心２０１ａ周りの力Ｆ２によるモーメントＭ２は、図５（ｂ）では時計回りの方向へ働く。つまり、モーメントＭ２はサブミラー２００を開く方向へ働いているため、サブミラーダウンバウンドを抑制する方向へ力を発生させることが出来る。
【００３０】
また、上記で説明したサブミラーアップストッパー５００およびサブミラーダウンストッパー５０１からサブミラー保持部材２００ａに与えられる力Ｆ１、Ｆ２は、ミラーアップおよびミラーダウンの衝撃力が大きくなるほど増加する。そのため、温度や部品バラつきなどによりミラーアップおよびミラーダウンの衝撃力が大きくなった時も、その衝撃力の大きさに応じて、サブミラーバウンドを抑制する方向の力を発生させることができる。
【００３１】
さらに、サブミラーアップストッパー５００およびサブミラーダウンストッパー５０１は、ミラーダウン状態（第１の位置）からミラーアップ状態（第２の位置）、またはミラーアップ状態（第２の位置）からミラーダウン状態（第１の位置）へ移動している時の位置である第３の位置では、サブミラーストッパー当接部２０４ａ、２０４ｂに当接しないため、サブミラー保持部材２００ａに付勢力を与えることはない。そのため、サブミラーアップストッパー５００およびサブミラーダウンストッパー５０１による付勢力が、ミラー駆動中の負荷となることはない。
【００３２】
図６、図７は上記で説明したサブミラーバウンド防止機構の動作を時系列で示したものである。図６、図７は簡単のため、メインミラー１００は不図示としている。図６はミラーユニットがミラーダウン状態（第１の位置）からミラーアップ状態（第２の位置）に移動する動作を示し、図７はミラーユニットがミラーアップ状態（第２の位置）からミラーダウン状態（第１の位置）に移動する動作を示している。
【００３３】
図６（ａ）はミラーダウン状態（第１の位置）を示している。図６（ａ）の状態において、メインミラー１００が前述したミラー駆動機構４００によって回転駆動されることで上昇し、一体的にサブミラー２００も上昇する（図６（ｂ））。この時、サブミラーストッパー当接部２０４ａはサブミラーアップストッパー５００に当接しないため、サブミラーアップストッパー５００によるミラー駆動中の負荷はない。図６（ｃ）はミラーアップ状態（第２の位置）を示しており、ミラーアップ到達時にサブミラーストッパー当接部２０４ａはサブミラーアップストッパー５００に当接し、力Ｆ１を受けることでサブミラー２００は閉じ方向に付勢される。
【００３４】
図７（ａ）はミラーアップ状態（第２の位置）を示している。図７（ａ）の状態において、メインミラー１００が前述したミラー駆動機構４００によって回転駆動されることで下降し、一体的にサブミラー２００も下降する（図７（ｂ））。この時、サブミラーストッパー当接部２０４ｂはサブミラーアップストッパー５０１に当接しないため、サブミラーアップストッパー５００によるミラー駆動中の負荷はない。図７（ｃ）はミラーダウン状態（第１の位置）を示しており、ミラーダウン到達時にサブミラーストッパー当接部２０４ｂはサブミラーアップストッパー５０１に当接し、力Ｆ２を受けることでサブミラー２００は開き方向に付勢される。
【００３５】
以上、本発明の好ましい実施形態について説明したが、本発明はこれらの実施形態に限定されず、その要旨の範囲内で種々の変形及び変更が可能である。
【符号の説明】
【００３６】
１００  メインミラー、１００ａ  メインミラー保持部材、
１０１  メインミラー回転中心軸、２００  サブミラー、
２００ａ  サブミラー保持部材、２０１  サブミラー回転中心軸、
２０４ａ，２０４ｂ  サブミラーストッパー当接部、
５００  サブミラーアップストッパー、５０１  サブミラーダウンストッパー
【図１】
2016053663.tif 000003
【図２】
2016053663.tif 000004
【図３】
2016053663.tif 000005
【図４】
2016053663.tif 000006
【図５】
2016053663.tif 000007
【図６】
2016053663.tif 000008
【図７】
2016053663.tif 000009